【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
情報処理装置と通信を行う通信端末において実行させるプログラムであって、
近距離無線通信による第１の通信方法を用いて、前記情報処理装置との第２の通信方法による通信のための接続情報を前記情報処理装置から取得する第１の取得工程と、
前記第１の取得工程において前記接続情報が取得されたことに基づいて、外部装置に存在するデータをネットワークを介して取得する第２の取得工程と、
前記第２の取得工程において前記データが取得された後に、前記第１の取得工程において取得された前記接続情報を用いて、前記第２の通信方法による前記情報処理装置との通信を確立する確立工程と、
前記第２の取得工程において取得したデータを、前記確立工程において確立された前記通信により前記情報処理装置に送信する送信工程とを前記通信端末に実行させることを特徴とするプログラム。
【請求項２】
ユーザの指示に応じて、前記送信工程における送信対象のデータを選択する選択工程を前記通信端末にさらに実行させ、
前記選択工程において既にデータが選択されているときに前記第１の取得工程において前記接続情報が取得された場合に、前記送信工程では、前記選択工程において選択され前記第２の取得工程で取得されたデータを送信することを特徴とする請求項１に記載のプログラム。
【請求項３】
前記選択工程では、送信対象の候補であるデータに対応する画像を、表示装置に複数表示させ、前記表示装置に表示された複数の画像のうちの前記ユーザにより選択された画像に対応するデータを、前記送信対象のデータとして選択することを特徴とする請求項２に記載のプログラム。
【請求項４】
前記送信工程において前記データが送信されたことに基づいて、前記確立工程において確立された通信を解除する解除工程を前記通信端末に実行させることを特徴とする請求項１乃至３のいずれか１項に記載のプログラム。
【請求項５】
前記第２の取得工程では、前記第２の通信方法を用いることで、前記データを取得することを特徴とする請求項１乃至４のいずれか１項に記載のプログラム。
【請求項６】
前記通信端末は、前記第２の通信方法により前記情報処理装置との接続が確立している場合に、前記外部装置との通信ができず、
前記確立工程では、前記第２の取得工程における前記第２の通信方法による前記データの取得のための通信処理の終了を待ってから、前記接続情報を用いて、前記第２の通信方法による前記情報処理装置との通信を確立することを特徴とする請求項５に記載のプログラム。
【請求項７】
前記近距離無線通信の前記第１の通信方法はＮＦＣとＢｌｕｅｔｏｏｔｈ（登録商標）の内の少なくともいずれかを含むことを特徴とする請求項１乃至６のいずれか１項に記載のプログラム。
【請求項８】
前記第２の通信方法は、前記近距離無線通信による第１の通信方法よりも通信可能距離が広いことを特徴とする請求項１乃至７のいずれか１項に記載のプログラム。
【請求項９】
前記第２の通信方法は、無線ＬＡＮであることを特徴とする請求項１乃至８のいずれか１項に記載のプログラム。
【請求項１０】
前記第１の取得工程において取得した接続情報を保持する保持工程と、
前記第１の取得工程において新たに取得された接続情報と、前記保持工程において保持された以前に取得された接続情報が同じであるかどうかを判断する第１の判断工程とをさらに前記通信端末に実行させ、
前記第１の判断工程において同じであると判断されたなら、前記確立工程は、前記保持工程において保持された接続情報を用いて前記通信を確立することを特徴とする請求項１乃至９のいずれか１項に記載のプログラム。
【請求項１１】
前記情報処理装置が、前記情報処理装置が有するアクセスポイントにより接続可能な状態で待機しているかを判断する第２の判断工程と、
前記第２の判断工程において、前記情報処理装置が前記状態にはないと判断されたなら、前記情報処理装置を前記状態に移行させる移行工程とを前記通信端末に実行させることを特徴とする請求項１乃至１０のいずれか１項に記載のプログラム。
【請求項１２】
前記移行工程において前記情報処理装置を前記状態に移行させた後、前記確立工程では、前記情報処理装置が有するアクセスポイントとの接続を確立することを特徴とする請求項１１に記載のプログラム。
【請求項１３】
前記移行工程において前記情報処理装置を前記状態に移行させた後、前記確立工程において前記情報処理装置が有するアクセスポイントと確立された接続により前記送信工程において前記データが送信されたことに基づき、前記情報処理装置の前記状態を終了させる工程をさらに前記通信端末に実行させることを特徴とする請求項１２に記載のプログラム。
【請求項１４】
前記確立工程では、前記第２の取得工程において前記外部装置に新たにアクセスし、前記データが新たに取得されたことに応じて、前記第２の通信方法による前記情報処理装置との通信を確立することを特徴とする請求項１乃至１３のいずれか１項に記載のプログラム。
【請求項１５】
前記第２の取得工程の実行の前に、前記第２の取得工程において取得するデータが既に前記通信端末に存在しているかどうかを判断する第３の判断工程を前記通信端末に実行させ、
前記第３の判断工程において前記データが既に前記通信端末に存在していると判断されたなら、前記第２の取得工程の実行がスキップされることを特徴とする請求項１乃至１４のいずれか１項に記載のプログラム。
【請求項１６】
前記外部装置は、Ｗｅｂサーバ装置であることを特徴とする請求項１乃至１５のいずれか１項に記載のプログラム。
【請求項１７】
情報処理装置と通信を行う通信端末であって、
近距離無線通信による第１の通信方法を用いて、前記情報処理装置との第２の通信方法による通信のための接続情報を前記情報処理装置から取得する第１の取得手段と、
前記第１の取得手段により前記接続情報が取得されたことに基づいて、外部装置に存在するデータをネットワークを介して取得する第２の取得手段と、
前記第２の取得手段により前記データが取得された後に、前記第１の取得手段により取得された前記接続情報を用いて、前記第２の通信方法による前記情報処理装置との通信を確立する確立手段と、
前記第２の取得手段により取得されたデータを、前記確立手段により確立された前記通信により前記情報処理装置に送信する送信手段とを有することを特徴とする通信端末。
【請求項１８】
前記情報処理装置は、プリンタ、ディスプレイ、スピーカの少なくとも１つを含むことを特徴とする請求項１７に記載の通信端末。
【請求項１９】
前記情報処理装置がプリンタを含む場合、前記送信手段により前記プリンタに送信されたデータに基づいて、前記情報処理装置により画像が印刷されることを特徴とする請求項１８に記載の通信端末。
【請求項２０】
情報処理装置と通信を行う通信端末において実行される通信方法であって、
近距離無線通信による第１の通信方法を用いて、前記情報処理装置との第２の通信方法による通信のための接続情報を前記情報処理装置から取得する第１の取得工程と、
前記第１の取得工程において前記接続情報が取得されたことに基づいて、外部装置に存在するデータをネットワークを介して取得する第２の取得工程と、
前記第２の取得工程において前記データが取得された後に、前記第１の取得工程において取得された前記接続情報を用いて、前記第２の通信方法による前記情報処理装置との通信を確立する確立工程と、
前記第２の取得工程において取得したデータを、前記確立工程において確立された前記通信により前記情報処理装置に送信する送信工程と、
を有することを特徴とする通信方法。
【手続補正２】
【補正対象書類名】明細書
【補正対象項目名】０００７
【補正方法】変更
【補正の内容】
【０００７】
本発明は上記従来例に鑑みてなされたもので、通信端末がデータを外部装置から容易に取得して情報処理装置に送信することができる通信方法、通信端末、及びプログラムを提供することを目的とする。
【手続補正３】
【補正対象書類名】明細書
【補正対象項目名】０００８
【補正方法】変更
【補正の内容】
【０００８】
上記目的を達成するために本発明のプログラムは次のような特徴を有する。
【手続補正４】
【補正対象書類名】明細書
【補正対象項目名】０００９
【補正方法】変更
【補正の内容】
【０００９】
即ち、情報処理装置と通信を行う通信端末において実行させるプログラムであって、近距離無線通信による第１の通信方法を用いて、前記情報処理装置との第２の通信方法による通信のための接続情報を前記情報処理装置から取得する第１の取得工程と、前記第１の取得工程において前記接続情報が取得されたことに基づいて、外部装置に存在するデータをネットワークを介して取得する第２の取得工程と、前記第２の取得工程において前記データが取得された後に、前記第１の取得工程において取得された前記接続情報を用いて、前記第２の通信方法による前記情報処理装置との通信を確立する確立工程と、前記第２の取得工程において取得したデータを、前記確立工程において確立された前記通信により前記情報処理装置に送信する送信工程とを前記通信端末に実行させることを特徴とする。
【手続補正５】
【補正対象書類名】明細書
【補正対象項目名】００１０
【補正方法】変更
【補正の内容】
【００１０】
本発明によれば、外部装置に存在するデータがネットワークを介して取得された後に所定の通信方法による情報処理装置との通信を確立する。よって外部装置から容易にデータを取得して情報処理装置に送信することができるという効果がある。